(57)【要約】【課題】  複数の記録層を持つ情報記録媒体に対する記録動作において、予め設定の初期データ領域の範囲に捉われず記録するユーザデータのデータサイズ等に応じた柔軟な対応を可能にする。【解決手段】  情報記録媒体のレイヤー０に予め設定された初期データ領域（Ｄａｔａ  Ａｒｅａ（Ｉｎｉｔｉａｌ））のうち、実際にデータ記録に使用する領域をデータ領域として変更設定し、以降の領域をリードアウト領域（Ｌｅａｄ−ｏｕｔ  Ａｒｅａ）又は中間領域（Ｍｉｄｄｌｅ  Ａｒｅａ）とする。さらに、レイヤー１のデータ領域をレイヤー０のデータ領域と同一半径位置に相当する領域に設定して、かつ論理アドレスの連続性を保つように設定する。さらに、変更設定されたデータ領域の範囲に関する情報をレイヤー０のリードイン領域（Ｌｅａｄ−ｉｎ  Ａｒｅａ）に記録する。【選択図】  図５
2006040531.tif 000002
【特許請求の範囲】
【請求項１】
情報を記録するデータ領域を有する第１の記録層と第２の記録層とを持つ情報記録媒体を対象として記録を行う情報記録装置であって、
前記データ領域の範囲を変更設定するデータ領域変更設定手段と、を有し、
前記データ領域変更設定手段は、
前記情報記録媒体に予め設定されている初期データ領域の範囲内に第１の記録層のデータ領域と、該第１の記録層のデータ領域終了アドレスと連続したアドレスを開始アドレスとする第１の記録層の中間領域と、
前記第２の記録層に、第１の記録層のデータ領域終了アドレスのビット反転したアドレスをデータ領域開始アドレスとする第２の記録層のデータ領域と、該第２の記録層のデータ領域開始アドレスと連続したアドレスを終了アドレスとする第２の記録層の中間領域と、
を設定することを特徴とする情報記録装置。
【請求項２】
情報を記録するデータ領域を有する第１の記録層と第２の記録層とを持つ情報記録媒体を対象として記録を行う情報記録装置であって、
前記データ領域の範囲を変更設定するデータ領域変更設定手段と、を有し、
前記データ領域変更設定手段は、
前記情報記録媒体に予め設定されている初期データ領域の範囲内に第１の記録層のデータ領域と、該第１の記録層のデータ領域終了位置と連続した位置を開始位置とする第１の記録層の中間領域と、
前記第２の記録層に、前記第１の記録層のデータ領域に対応する位置に第１の記録層のデータ領域終了位置と同一半径位置をデータ領域開始位置とする第２の記録層のデータ領域と、前記第１の記録層の中間領域に対応する位置に第２の記録層のデータ領域開始位置と連続した位置を終了位置とする第２の記録層の中間領域と、
を設定することを特徴とする情報記録装置。
【請求項３】
前記データ領域変更設定手段は、変更設定されたデータ領域の範囲に関する設定情報を情報記録媒体の所定の領域に記録することを特徴とする請求項１または２記載の情報記録装置。
【請求項４】
変更設定されたデータ領域の範囲に関する設定情報を記録する前記所定領域は、ＳＤＣＢ（セッションディスクコントロールブロック）内のレイヤーアイテムである請求項３記載の情報記録装置。
【請求項５】
情報を記録するデータ領域を有する記録層を複数持つ情報記録媒体を対象として記録を行う情報記録方法であって、
前記情報記録媒体に予め設定されている初期データ領域の範囲内で第１の記録層のデータ領域を変更設定するステップと、
第２の記録層のデータ領域開始アドレスを、前記第１の記録層のデータ領域終了アドレスのビット反転したアドレスとするステップと、
前記第１の記録層の中間領域開始アドレスを、該第１の記録層のデータ領域終了アドレスと連続したアドレスとなるように変更設定するステップと、
前記第２の記録層の中間領域終了アドレスを、該第２の記録層のデータ領域開始アドレスと連続したアドレスとなるように変更設定するステップと、
を備えることを特徴とする情報記録方法。
【請求項６】
情報を記録するデータ領域を有する記録層を複数持つ情報記録媒体を対象として記録を行う情報記録方法であって、
前記情報記録媒体に予め設定されている初期データ領域の範囲内で第１の記録層のデータ領域を変更設定するステップと、
前記第２の記録層のデータ領域開始位置を、前記第１の記録層のデータ領域終了位置と同一半径位置とするステップと、
前記第１の記録層の中間領域開始位置を、該第１の記録層のデータ領域終了位置と連続した位置に変更設定するステップと、
前記第２の記録層の中間領域終了位置を、該第２の記録層のデータ領域開始位置と連続した位置に変更設定するステップと、
を備えることを特徴とする情報記録方法。
【請求項７】
前記変更設定したデータ領域の範囲に関する設定情報を情報記録媒体の所定の領域に記録するステップをさらに備えることを特徴とする請求項５または６記載の情報記録方法。
【発明の詳細な説明】
【技術分野】
【０００１】
本発明は、２層ＤＶＤ＋Ｒ（Ｄｉｇｉｔａｌ  Ｖｅｒｓａｔｉｌｅ  Ｄｉｓｃ＋Ｒｅｃｏｒｄａｂｌｅ）等の記録可能な情報記録媒体を情報記録の対象とする情報記録装置、このような情報記録装置に接続されて使用されるＰＣのような情報処理装置、これらを組み合わせた情報処理システム、情報記録方法、情報記録用プログラム及び記憶媒体に関する。
【背景技術】
【０００２】
記録型ＤＶＤディスクとして追記型ＤＶＤディスクであるＤＶＤ＋Ｒや書換え型ＤＶＤディスクであるＤＶＤ＋ＲＷなどがあり、これらのディスクは片面1層の再生専用ＤＶＤディスクと高い再生互換性を持つ記録型ＤＶＤディスクである。このような記録型ディスクは高速化、大容量化のための研究開発が盛んに行われている。
【０００３】
その一つに、片面２層の再生専用ＤＶＤディスクとの再生互換性を持った片面２層のＤＶＤ＋Ｒディスク(以下、「２層ＤＶＤ＋Ｒ」という)がある。２層ＤＶＤ＋Ｒは記録容量が８．４Ｇbyteであり、従来の1層ＤＶＤ＋Ｒはデータ容量が４．７Ｇbyteであるのに対してほぼ２倍の記録容量を有し、記録されたデータは片面２層の再生専用ＤＶＤディスクの再生が可能なＤＶＤプレイヤ或いはＤＶＤ−ＲＯＭドライブで読み出すことができる。
【０００４】
ここで、片面２層の再生専用ＤＶＤディスクには、２層目のトラックが1層目と同じように内周から外周に向かっているパラレルトラックパス方式（Ｐａｒａｌｌｅｌ  Ｔｒａｃｋ  Ｐａｔｈ方式＝ＰＴＰ方式）と、２層目のトラックが外周から内周に向かっているオポジットトラックパス方式（Ｏｐｐｏｓｉｔｅ  Ｔｒａｃｋ  Ｐａｔｈ方式＝ＯＰＴ方式）との２種類のトラック方式がある。ＰＴＰ方式では1層目と２層目のデータ領域が開始するアドレスの半径位置が等しく、ともに物理アドレス３００００Ｈから始まる。また、データ領域の後にはリードアウト（Ｌｅａｄ−ｏｕｔ）領域が配置される。ＯＴＰ方式では２層目のデータ領域が開始するアドレスの半径位置は１層目のデータ領域が終了するアドレスの半径位置と等しく、２層目のデータ領域開始位置の物理アドレスは１層目のデータ領域終了アドレスをビット反転したアドレスとなっている。１層目と２層目のデータ領域のサイズに差がある場合、その差分領域はリードアウト領域となる。例えば、ＰＴＰディスクにおいて１層目のデータ領域の終了アドレスＤ１と２層目のデータ領域終了アドレスＤ２がＤ１＞Ｄ２となる場合、差分領域Ｄ１−Ｄ２はリードアウト領域となる。このように、片方の記録層においてデータが記録されている領域は、２層目の対応する領域もデータが記録されている。これは、例えばユーザが１層目のデータを再生する際に、目的アドレスへのシークでたまたま２層目へ読み取りレーザの焦点が合った場合に、同一半径位置の２層目にデータが記録されていないとアドレス情報が取得できないなどの不具合が生じ、結果として1層目のデータが再生できないといった問題が生じることを避けるためである。
【０００５】
また、２層ＤＶＤにおける論理アドレスは、１層目のデータ領域の開始アドレスから連続的に割り振られ、１層目のデータ領域終了アドレスから２層目のデータ領域開始アドレスへは論理アドレスが連続している。つまり、ユーザは２層ＤＶＤから再生を行う場合、論理アドレスを用いて再生領域を指定することで、記録層を意識することなく再生を行うことが可能となっている。
【０００６】
次に、２層ＤＶＤ＋Ｒに対してユーザデータの記録を行う場合の記録処理について説明する。ＤＶＤ＋Ｒではユーザがデータを記録するために、予め初期的なデータ領域（初期データ領域）が設定されており、この初期データ領域内の全ての範囲に亘って再生専用の２層ＤＶＤと同様の方法で物理アドレスが割り振られている。このような２層ＤＶＤ＋Ｒへデータ記録を行う際も、再生処理と同様にユーザは論理アドレスを用いて記録領域を指定する。このため、ユーザが連続的にデータ記録を行う場合、１層目のデータ領域開始アドレスから記録が開始され、１層目のデータ領域終了アドレスまで記録が完了すると、引き続き、２層目のデータ領域開始アドレスから記録を行うことになる。このように、２層ＤＶＤ＋Ｒ記録においてもユーザは記録層を意識することなく記録を行うことが可能となっている。
【０００７】
このため、ユーザのデータ記録が２層目のデータ領域の途中、或いは、２層目を全く記録することなしに終了する場合が考えられる。例えば、２層目のデータ領域の途中、即ち、２層目のデータ領域内に未記録領域が存在する状態でユーザのデータ記録が完了した場合、２層目のデータ領域内に未記録領域を残したままでは上述した再生専用の２層ＤＶＤディスクと非互換のディスクレイアウトとなってしまう。また、例えば、ユーザが１層目のデータを再生する際に、目的アドレスへのシークでたまたま２層目へ読み取りレーザの焦点が合った場合に、同一半径位置の２層目にデータが記録されていないとアドレス情報が取得できないなどの不具合が生じ、結果として１層目のデータが再生できない、といった問題が生じる。このような不具合は２層目を全く記録することなしにユーザのデータ記録を終了する場合も同様である。
【０００８】
一方、このような２層ＤＶＤ＋Ｒの利用例として、再生専用ＤＶＤディスクを量産する前の試し書きとして使用する場合がある。通常、ＤＶＤなどに記録するデータは、ハードディスク上に作成されることが多い。この後、そのデータは、作成者の意図通りに再生されるデータとなっているかどうかを検証するために、一般のプレイヤで再生可能な情報記録媒体に記録される。この検証作業に用いられる情報記録媒体は、少量でよいため、１回のみ記録可能な情報記録媒体、例えばＤＶＤ＋Ｒなどが用いられることが多い。しかしながら、従来にあっては、２層記録ディスクが存在しなかったため、再生専用２層ＤＶＤディスクの場合、検証のため記録型ＤＶＤディスクに試し書きを行うということができなかった。従って、特許文献１にあるように、第２層に仮のファイル管理情報を配置した再生専用の２層ＤＶＤディスクが提案されている。この特許文献１における検証工程では記録層毎に別々の記録ディスクに対して試し書きを行い、２層目のデータを記録したディスクは、記録データが仮のファイル情報により参照されるというものである。
【０００９】
このように、特許文献１の例は量産する再生専用２層ＤＶＤそのもののファイルフォーマットを変更し、検証工程では２枚の記録型ＤＶＤディスクに記録して層毎の記録データの検証を行うというものであり、作成したい再生専用ＤＶＤと完全に同じデータ構造を有するディスクを作成して検証を行うということができない。また、特許文献１の例による検証では、２層目に記録されるデータの検証は仮のファイル管理情報により行われるため、１層目に記録されたファイル管理情報から２層目に記録したデータを検証することが不可能である。
【特許文献１】特開２０００−０４８５４２号公報
【発明の開示】
【発明が解決しようとする課題】
【００１０】
まず、前者の未記録領域が生じてしまう問題を回避するために、この未記録領域に対して何らかの処理が必要と考えられるが、例えば、２層目のデータ領域が殆ど未記録の状態でユーザデータの記録が終了した場合、或いは、２層目にユーザデータが全く記録されずにデータ記録が完了した場合などは、未記録領域が大きくなってしまうため、その対応処理に長時間を要するといった問題が派生してしまう。
【００１１】
また、２層ＤＶＤ＋Ｒの応用例に関する後者の検証等については、検証工程に２層ＤＶＤ＋Ｒを用いた場合は検証等に関する上述の不具合を解消することが可能であるが、この場合においても、２層ＤＶＤ＋Ｒではユーザがデータを記録するために予め初期データ領域が設定されており、作成したい再生専用ＤＶＤと完全に同じデータフォーマットで記録するためには、予め用意されている初期データ領域のうち、任意の領域をデータ領域と設定する手段が必要となるが、この点に関する対応策はまだ提案されていない。
【００１２】
本発明の目的は、複数の記録層を持つ情報記録媒体に対する記録動作において、予め設定されている初期データ領域の範囲に捉われず記録するユーザデータのデータサイズ等に応じた柔軟な対応を可能にすることである。
【課題を解決するための手段】
【００１３】
請求項１記載の発明は、情報を記録するデータ領域を有する第１の記録層と第２の記録層とを持つ情報記録媒体を対象として記録を行う情報記録装置であって、前記データ領域の範囲を変更設定するデータ領域変更設定手段と、を有し、前記データ領域変更設定手段は、前記情報記録媒体に予め設定されている初期データ領域の範囲内に第１の記録層のデータ領域と、該第１の記録層のデータ領域終了アドレスと連続したアドレスを開始アドレスとする第１の記録層の中間領域と、前記第２の記録層に、第１の記録層のデータ領域終了アドレスのビット反転したアドレスをデータ領域開始アドレスとする第２の記録層のデータ領域と、該第２の記録層のデータ領域開始アドレスと連続したアドレスを終了アドレスとする第２の記録層の中間領域と、を設定することを特徴とする。
【００１４】
例えば、ＤＶＤ＋Ｒのような情報記録媒体では予め設定された初期データ領域の全領域に対し物理アドレスが割り振られており、物理アドレスで指定される領域に対して論理アドレスが一意的に定められ、さらに、基準となる第１の記録層におけるデータ領域終了アドレスから第２の記録層のデータ領域開始アドレスへは論理アドレスが連続している。また、ユーザが記録するユーザデータには、記録データを管理するための管理データも含まれ、この管理データはユーザデータの実体が記録されているアドレス情報として論理アドレスを用いて管理している。従って、ユーザの記録データを任意のサイズで分割して複数の記録層へ記録すると、管理データ内のアドレス情報と実際に記録されているアドレス情報とに不整合が生じることになる。このような問題を回避するためには、第１の記録層に予め設定されている初期データ領域のうち、実際にデータ記録に使用する領域をデータ領域として設定し直し、以降の領域を中間領域とするとともに、第１の記録層の中間領域の開始アドレスを第１の記録層のデータ領域終了アドレスと連続したアドレスに設定する。さらに、第２の記録層のデータ領域のデータ領域開始アドレスを第１の記録層のデータ領域終了アドレスのビット反転したアドレスに設定し、第２の記録層の中間領域の終了アドレスを第２の記録層のデータ領域開始アドレスと連続したアドレスに設定することにより論理アドレスの連続性を保つことができる。
【００１５】
請求項２記載の発明は、情報を記録するデータ領域を有する第１の記録層と第２の記録層とを持つ情報記録媒体を対象として記録を行う情報記録装置であって、前記データ領域の範囲を変更設定するデータ領域変更設定手段と、を有し、前記データ領域変更設定手段は、前記情報記録媒体に予め設定されている初期データ領域の範囲内に第１の記録層のデータ領域と、該第１の記録層のデータ領域終了位置と連続した位置を開始位置とする第１の記録層の中間領域と、前記第２の記録層に、前記第１の記録層のデータ領域に対応する位置に第１の記録層のデータ領域終了位置と同一半径位置をデータ領域開始位置とする第２の記録層のデータ領域と、前記第１の記録層の中間領域に対応する位置に第２の記録層のデータ領域開始位置と連続した位置を終了位置とする第２の記録層の中間領域と、を設定することを特徴とする。
【００１６】
請求項５記載の発明は、情報を記録するデータ領域を有する記録層を複数持つ情報記録媒体を対象として記録を行う情報記録方法であって、前記情報記録媒体に予め設定されている初期データ領域の範囲内で第１の記録層のデータ領域を変更設定するステップと、第２の記録層のデータ領域開始アドレスを、前記第１の記録層のデータ領域終了アドレスのビット反転したアドレスとするステップと、前記第１の記録層の中間領域開始アドレスを、該第１の記録層のデータ領域終了アドレスと連続したアドレスとなるように変更設定するステップと、前記第２の記録層の中間領域終了アドレスを、該第２の記録層のデータ領域開始アドレスと連続したアドレスとなるように変更設定するステップと、を備えることを特徴とする。
【００１７】
請求項６記載の発明は、情報を記録するデータ領域を有する記録層を複数持つ情報記録媒体を対象として記録を行う情報記録方法であって、前記情報記録媒体に予め設定されている初期データ領域の範囲内で第１の記録層のデータ領域を変更設定するステップと、前記第２の記録層のデータ領域開始位置を、前記第１の記録層のデータ領域終了位置と同一半径位置とするステップと、前記第１の記録層の中間領域開始位置を、該第１の記録層のデータ領域終了位置と連続した位置に変更設定するステップと、前記第２の記録層の中間領域終了位置を、該第２の記録層のデータ領域開始位置と連続した位置に変更設定するステップと、を備えることを特徴とする。
【発明の効果】
【００１８】
請求項１，２，５，６記載の発明によれば、予め設定されている初期データ領域の範囲内で、ユーザデータの記録に実際に使用するデータ領域の範囲を任意に変更設定できるものであり、例えば、ユーザが記録する全データサイズが予め判っている場合は、初期データ領域の全てをデータ記録に使用するのではなく、初期データ領域のうち一部の領域をデータ領域として設定してデータ記録に使用することで、ユーザが記録する全データサイズに応じた記録層の使用配分が可能となり、記録層のうちの未使用領域を所定データで埋める等の対応処理に要する時間を省き、或いは、少なくすることができ、或いは、作成したい再生専用ＤＶＤと完全に同じデータフォーマットで記録することも簡単に実現することができる。
【発明を実施するための最良の形態】
【００１９】
本発明の一実施の形態を図面に基づいて説明する。図１は本実施の形態に係る情報記録装置としての光ディスク装置１の概略構成を示すブロック図である。
【００２０】
この光ディスク装置１は、情報記録媒体としての光ディスク２を回転駆動するためのスピンドルモータ３、光ピックアップ装置４、レーザコントロール回路５、モータドライバ６、再生信号処理回路７、サーボコントローラ８、バッファＲＡＭ９、バッファマネージャ１０、インターフェース１１、ＲＯＭ１２、ＣＰＵ１３及びＲＡＭ１４などを備えて構成されている。なお、図１中に示す矢印は代表的な信号や情報の流れを示すものであり、各ブロックの接続関係の全てを表すものではない。
【００２１】
より詳細には、まず、光ディスク２としては、ＤＶＤ＋Ｒの規格に準拠する２層ＤＶＤ＋Ｒを記録対象とする場合への適用例である。
【００２２】
光ピックアップ装置４は、光源としての半導体レーザ、この半導体レーザから出射されるレーザ光を光ディスク２の記録面に導くとともに記録面で反射された戻り光を所定の受光位置まで導く対物レンズ等を含む光学系、受光位置に配置されて戻り光を受光する受光器、及び、駆動系（フォーカシングアクチュエータ、トラッキングアクチュエータ、シークモータ等）（何れも図示せず）などを含んで構成されている。受光器からは、受光量に応じた電流（電流信号）が再生信号処理回路７に出力される。
【００２３】
サーボコントローラ８では、フォーカスエラー信号に基づいて光ピックアップ装置４のフォーカシングアクチュエータを制御する制御信号を生成するとともに、トラックエラー信号に基づいて光ピックアップ装置４のトラッキングアクチュエータを制御する制御信号を生成する。これらの制御信号はサーボコントローラ８からモータドライバ６に出力される。
【００２４】
モータドライバ６では、サーボコントローラ８からの制御信号に基づいて光ピックアップ装置４のフォーカシングアクチュエータ及びトラッキングアクチュエータを駆動する。また、モータドライバ６では、ＣＰＵ１３の指示に基づいて、光ディスク２の線速度が一定となるようにスピンドルモータ３を制御する。さらに、モータドライバ６では、ＣＰＵ１３の指示に基づいて、光ピックアップ装置４用のシークモータを駆動し、光ピックアップ装置４を光ディスク２の目標トラックに向けて半径方向に移動させる。
【００２５】
インターフェース１１は、例えばＰＣのようなホスト（情報処理装置）２１と双方向の通信インターフェースである。
【００２６】
ＣＰＵ１３は、ＲＯＭ１２、ＲＡＭ１４とともに当該光ディスク装置１が備えるマイクロコンピュータ（コンピュータ）を構成している。記憶媒体としても機能するＲＯＭ１２には、ＣＰＵ１３により解読可能なコードで記述された後述するような情報記録用プログラムを含むプログラムが格納されている。ＣＰＵ１３は、ＲＯＭ１２に格納されているプログラムに従って上述の各部の動作を制御するとともに、制御に必要なデータ等を一時的にＲＡＭ１４に保存する。なお、当該光ディスク装置１の電源が投入されると、ＲＯＭ１２に格納されているプログラムは、ＣＰＵ１３のメインメモリ（図示せず）にロード（インストール）される。
【００２７】
ここに、本実施の形態の光ディスク装置１はホスト２１と接続されることにより、情報処理システム２２を構成している。
【００２８】
本実施の形態では、対象としている光ディスク２である２層ＤＶＤ＋Ｒが当該光ディスク装置１マウントされホスト２１側からのユーザデータの記録要求があった場合の記録処理制御に特徴があるが、その説明に先立ち、ＤＶＤ＋Ｒの規格の前提となる再生専用ＤＶＤディスクのレイアウト等について説明する。
【００２９】
まず、図２に再生専用ＤＶＤディスクのレイアウト例を示す。図２（ａ）は片面１層（Ｓｉｎｇｌｅ  Ｌａｙｅｒ）のディスク（以下、「１層ディスク」という)、図２（ｂ）はＰＴＰ方式の片面２層（Ｄｕａｌ  Ｌａｙｅｒ）のディスク（以下、「ＰＴＰディスク」という)、図２（ｃ）はＯＴＰ方式の片面２層のディスク(以下、「ＯＴＰディスク」という)の場合を各々示す。
【００３０】
ＤＶＤディスクは、基本的に、リードイン領域（Ｌｅａｄ−ｉｎ  Ａｒｅａ）、データ領域、リードアウト領域（Ｌｅａｄ−ｏｕｔ  Ａｒｅａ）からなるインフォメーション領域（Ｉｎｆｏｒｍａｔｉｏｎ  Ａｒｅａ）を有し、１層ディスク及びＰＴＰディスクの場合は記録層毎にインフォメーション領域を有する。ＯＴＰディスクは１つのインフォメーション領域からなり、各記録層のデータ領域の後方に中間領域（Ｍｉｄｄｌｅ  Ａｒｅａ）を有する。１層ディスク及びＰＴＰディスクのレイヤー０，１及びＯＴＰディスクのレイヤー０は内周から外周に向けてデータの再生が行われ、ＯＴＰディスクのレイヤー１は外周から内周に向けてデータの再生が行われる。１層ディスク及びＰＴＰディスクの各記録層はリードイン領域からリードアウト領域まで連続した物理アドレス（Ｐｈｙｓｉｃａｌ  Ｓｅｃｔｏｒ  Ｎｕｍｂｅｒ）が割り振られる。一方、ＯＴＰディスクの場合は、リードイン領域からレイヤー０の中間領域まで連続した物理アドレスが割り振られるが、レイヤー１の物理アドレスはレイヤー０の物理アドレスをビット反転したアドレスが割り振られ、中間領域からリードアウト領域まで物理アドレスが増加していく。つまり、レイヤー１におけるデータ領域の開始アドレスはレイヤー０における終了アドレスをビット反転したアドレスとなる。
【００３１】
図２（ｂ）に示すように、ＰＴＰディスクにおけるリードイン領域開始及び終了アドレス、データ領域の開始アドレス、及び、リードアウト領域の終了アドレスは同一半径位置にあり、リードアウト領域の開始アドレス、即ち、データ領域の終了アドレスは記録層毎に異なる場合がある。データ領域の終了アドレスが異なる場合、その差分の領域はリードアウトが記録されている。
【００３２】
一方、図２（ｃ）に示すように、ＯＴＰディスクの場合はリードイン領域の開始アドレスとリードアウト領域の終了アドレス、レイヤー０のデータ領域終了アドレスとレイヤー１のデータ領域開始アドレス、及び、各記録層の中間領域の開始及び終了アドレスは同一半径位置にあり、レイヤー０のデータ領域開始アドレスとレイヤー１のデータ領域終了アドレスは必ずしも一致しない。ＯＴＰディスクの場合もその差分領域にはリードアウトが記録されている。
【００３３】
ここで、本実施の形態の特徴部分の説明に先立ち、例えば、２層ＤＶＤ＋Ｒ（光ディスク２）に生じ得る未記録領域に対する対応処理例を参考例として図３及び図４を参照して説明する。最初に、再生専用ＤＶＤディスクのレイアウトに準拠する、例えばＰＴＰ方式による２層ＤＶＤ＋Ｒ（光ディスク２）に対する未記録領域に対する対応処理例を図３を参照して説明する。
【００３４】
まず、図３（ａ）は全く記録してない未記録状態における２層ＤＶＤ＋Ｒのレイアウトを示している。第1の記録層であるレイヤー０及び第２の記録層であるレイヤー１なる各記録層には各々、リードイン領域、データ領域（Ｄａｔａ  Ａｒｅａ）、及び、リードアウト領域が存在する。図中、Ａはリードイン開始アドレス、Ｂはデータ領域の開始アドレス、Ｃはリードアウト領域の開始アドレス、Ｄはリードアウト領域の終了アドレスの位置を示しており、各記録層（レイヤー０，１）におけるアドレスＡ〜Ｄは光ディスク２の同一半径位置に位置している。
【００３５】
図３（ｂ）〜（ｂ−２）は、レイヤー１の途中でユーザデータの記録が完了した場合の対応処理例を示す。図３（ｂ）は２層目（レイヤー１）のアドレスＸの位置でユーザデータの記録が完了したことを示している。
【００３６】
このように途中でユーザデータの記録が完了する場合、一つの対応処理例では、図３（ｂ−１）に示すように、ユーザデータ記録領域以降の未記録領域をリードアウトで記録する。つまり、レイヤー１のアドレスＸからアドレスＤまでの領域が所定の未記録領域として所定のデータ＝リードアウトで記録される。従って、レイヤー０の場合、アドレスＡからＢがリードイン領域、アドレスＢからＣがデータ領域、アドレスＣからＤがリードアウト領域であるのに対し、レイヤー１の場合はアドレスＡからＢがリードイン領域、アドレスＢからＸがデータ領域、アドレスＸからＤがリードアウト領域となる。この結果、片面２層の再生専用ＤＶＤ-ＲＯＭと同じディスクレイアウトとなり、２層目（レイヤー１）のデータ領域の途中でユーザデータの記録が完了した場合も、問題なく、片面２層の再生専用ＤＶＤ-ＲＯＭとの互換性を保つことが可能となる。
【００３７】
また、途中でユーザデータの記録が完了する場合、他の対応処理例では、図３（ｂ−２）に示すように、当該第２の記録層（レイヤー１）のデータ領域のうち、ユーザデータ記録を行ったユーザデータ記録領域を除く領域に対し、データ属性を有するダミーデータ（Ｄｕｍｍｙ  Ｄａｔａ）、例えば、全て０データで記録する。つまり、レイヤー１のアドレスＸからアドレスＣまでの領域が所定の未記録領域として所定のデータ＝データ属性のダミーデータで記録される。このとき、レイヤー１のリードアウト領域（アドレスＣからＤ）に対し、リードアウトを記録してもよい。従って、レイヤー０，１ともにアドレスＡからＢがリードイン領域、アドレスＢからＣがデータ領域、アドレスＣからＤがリードアウト領域となる。この結果、片面２層の再生専用ＤＶＤ−ＲＯＭと同じディスクレイアウトとなり、２層目（レイヤー１）のデータ領域の途中でユーザデータの記録が完了した場合も、問題なく、片面２層の再生専用ＤＶＤ-ＲＯＭとの互換性を保つことが可能となる。
【００３８】
次に、再生専用ＤＶＤディスクのレイアウトに準拠する、例えばＯＴＰ方式による２層ＤＶＤ＋Ｒ（光ディスク２）に対する対応処理例を図４を参照して説明する。
【００３９】
まず、図４（ａ）は全く記録してない未記録状態における２層ＤＶＤ＋Ｒのレイアウトを示している。第１の記録層であるレイヤー０にはディスク内周からリードイン領域、データ領域、中間領域が存在し、レイヤー１にはディスク外周から中間領域、データ領域、リードアウト領域が存在する。図中、Ａはリードイン領域の開始アドレス、Ｂはレイヤー０のデータ領域の開始アドレス、Ｃはレイヤー０の中間領域の開始アドレス、Ｄはレイヤー０の中間領域の終了アドレスであり、また、図中、Ｄ′はレイヤー１の中間領域の開始アドレス、Ｃ′はレイヤー１のデータ領域の開始アドレス、Ｂ′はリードアウト領域の開始アドレス、Ａ′はリードアウト領域の終了アドレスの位置を示しており、ＡとＡ′、ＢとＢ′、ＣとＣ′、ＤとＤ′は各々ビット反転した値であり、光ディスク２の同一半径位置に位置している。
【００４０】
図４（ｂ）〜（ｂ−２）は、レイヤー１の途中でユーザデータの記録が完了した場合の対応処理例を示す。図４（ｂ）は２層目（レイヤー１）のアドレスＸの位置でユーザデータの記録が完了したことを示している。
【００４１】
このように途中でユーザデータの記録が完了する場合、一つの対応処理例では、図４（ｂ−１）に示すように、ユーザデータ記録領域以降の未記録領域をリードアウトで記録する。つまり、アドレスＸからアドレスＡ′までの領域が所定の未記録領域として所定のデータ＝リードアウトで記録される。従って、アドレスＡからＢがリードイン領域、アドレスＢからＣまでがレイヤー０のデータ領域、アドレスＣからＤまでがレイヤー０の中間領域、アドレスＤ′からＣ′までがレイヤー１の中間領域、アドレスＣ′からＸまでがレイヤー１のデータ領域、アドレスＸからＡ′までがリードアウト領域となる。この結果、片面２層の再生専用ＤＶＤ−ＲＯＭと同じディスクレイアウトとなり、２層目（レイヤー１）のデータ領域の途中でユーザデータの記録が完了した場合も、問題なく、片面２層の再生専用ＤＶＤ−ＲＯＭとの互換性を保つことが可能となる。
【００４２】
また、途中でユーザデータの記録が完了する場合、他の対応処理例では、図４（ｂ−２）に示すように、当該第２の記録層（レイヤー１）のデータ領域のうち、ユーザがデータ記録を行ったユーザデータ記録領域を除く領域に対し、データ属性を有するダミーデータ（Ｄｕｍｍｙ  Ｄａｔａ）、例えば、全て０データで記録する。つまり、アドレスＸからアドレスＢ′までの領域が所定の未記録領域として所定のデータ＝データ属性のダミーデータで記録される。このとき、リードアウト領域（アドレスＢ′からＡ′）に対し、リードアウトを記録しても良い。従って、アドレスＡからＢがリードイン領域、アドレスＢからＣまでがレイヤー０のデータ領域、アドレスＣからＤまでがレイヤー０の中間領域、アドレスＤ′からＣ′までがレイヤー１の中間領域、アドレスＣ′からＢ′までがレイヤー１のデータ領域、アドレスＢ′からＡ′までがリードアウト領域となる。この結果、片面２層の再生専用ＤＶＤ−ＲＯＭと同じディスクレイアウトとなり、２層目（レイヤー１）のデータ領域の途中でユーザデータの記録が完了した場合も、片面２層の再生専用ＤＶＤ−ＲＯＭとの互換性を保つことが可能となる。
【００４３】
これらの対応処理例に示すように、データ領域に存在する未記録領域を所定のデータ、例えば、リードアウト或いはデータ属性を有するダミーデータ等の所定のデータで記録するようにすれば、データ領域の途中でユーザのデータ記録が完了した場合も未記録領域が残ることによる不具合を解消することが可能となるが、例えば、第２の記録層（レイヤー１）のデータ領域が殆ど未記録の状態でユーザデータの記録が終了した場合、或いは、第２の記録層（レイヤー１）にユーザデータが全く記録されずにデータ記録が完了した場合は、第２の記録層（レイヤー１）のデータ領域に存在する未記録領域を全てこれらの所定のデータで埋めてしまう必要が生じ、未記録領域を埋める処理に長時間を要するといった問題が派生してしまう。
【００４４】
このような場合、ユーザが記録する全データサイズが予め判っていれば、第１の記録層（レイヤー０）のデータ領域の全領域をデータ記録に使用するのではなく、例えば、第１の記録層（レイヤー０）と第２の記録層（レイヤー１）とに記録するデータサイズがほぼ等しくなるように、ユーザデータを分割して記録することで、実質的に未記録領域をなくし、未記録領域を所定データで埋める処理に要する時間を省くことが可能となるが、データを単純に分割するだけでは、以下の理由から実施が困難である。
【００４５】
即ち、前述したように、ＤＶＤ＋Ｒでは予め用意された初期データ領域の全領域に対し物理アドレスが割り振られており、物理アドレスで指定される領域に対して論理アドレスが一意的に定められる。さらに、第１の記録層（レイヤー０）におけるデータ領域終了アドレスから第２の記録層（レイヤー１）のデータ領域開始アドレスへは論理アドレスが連続している。また、ユーザが記録するデータには、記録データを管理するための管理データも含まれ、この管理データはユーザデータの実体が記録されているアドレス情報として論理アドレスを用いて管理している。従って、ユーザの記録データを単純に任意のサイズで分割してこれらの複数の記録層へ記録すると、管理データ内のアドレス情報と実際に記録されているアドレス情報との不整合が生じることになる。このような問題を回避するためには、第１の記録層（レイヤー０）に予め設定されている初期データ領域のうち、データ記録に実際に使用する領域をデータ領域として変更設定し、以降の領域をリードアウト領域或いは中間領域とするとともに、第２の記録層（レイヤー１）のデータ領域を第１の記録層（レイヤー０）のデータ領域と同一半径位置に相当する領域に設定して、論理アドレスの連続性を保つ必要があるが、現在、このような設定手段は存在しておらず、本発明ではこのような設定手段を提供するものである。
【００４６】
即ち、本実施の形態では、予め設定されている初期データ領域の範囲内で、実際にデータ記録に使用する領域をデータ領域として変更設定可能にしたもので、その一つの実施の形態の原理を図５を参照して説明する。この例は、第１の記録層（レイヤー０）において予め設定されている初期データ領域の範囲内で所望するデータ領域をホスト２１のアドレス指定に基づき設定するようにした例である。
【００４７】
図５（ａ）〜（ａ−２）は、ＰＴＰ方式による２層ＤＶＤ＋Ｒへの記録例を示す。図５（ａ）は未記録状態における２層ＤＶＤ＋Ｒのレイアウトである。即ち、レイヤー０及びレイヤー１の各記録層には各々リードイン領域（Ｌｅａｄ−ｉｎ  Ａｒｅａ）、初期データ領域（Ｄａｔａ  Ａｒｅａ（Ｉｎｉｔｉａｌ））、リードアウト領域（Ｌｅａｄ−ｏｕｔ  Ａｒｅａ）が存在する。
【００４８】
このような未記録状態において、図５（ａ）中に示すように、ホスト２１から当該光ディスク装置１に対して第１の記録層（レイヤー０）のデータ領域の終了アドレス＝Ｂが指定されたとする（データ領域変更指定手段）（Ａは開始アドレスである）。このとき、図５（ａ−１）に示すように、当該光ディスク装置１はこのようなアドレス指定を受けて、レイヤー０及びレイヤー１のアドレスＡからＢをデータ領域、アドレスＢに続く所定領域をリードアウト領域（Ｌｅａｄ−ｏｕｔ  Ａｒｅａ）に設定し、さらに、このようなデータ領域に関する情報をリードイン領域中のＳＤＣＢ領域（セッションディスクコントロールブロック）（ＳＤＣＢ領域に関しては後述する）に記録する。
【００４９】
つまり、基準となるレイヤー０のデータ領域の変更が決定することによりレイヤー１のデータ領域の範囲も決定されることになる。また、論理アドレスはレイヤー０のアドレスＡからＢ、レイヤー１のアドレスＡからＢに割り当てられ、レイヤー０のアドレスＢとレイヤー１のアドレスＡとは論理アドレスが連続している。
【００５０】
次に、図５（ａ−２）に示すように、ホスト２１からユーザデータの記録要求を受けた場合、レイヤー０のアドレスＡからユーザデータの記録を行い、アドレスＢまで記録が終了した時点で、レイヤー１のアドレスＡから記録を続けて行う。即ち、論理アドレスの連続性を保ちつつ、各記録層（レイヤー０，１）に所望するサイズのデータを記録することが可能になる。
【００５１】
なお、本実施の形態において、図５（ａ−２）はオープンセッションの状態を示している。従って、最終的にユーザデータの記録が完全に終了し、再生専用の２層ＤＶＤディスクとの互換性をとろうとする場合において、レイヤー１に未記録領域があったら、図３を参照して説明した対応処理例に準じてその未記録領域にリードアウトやダミーデータなどの所定のデータを記録し、最終的に、リードアウトを記録してクローズセッションとすればよい。このような未記録領域に対するデータ埋め込み処理を要する場合でも、レイヤー０が初期データ領域のままでなく、所望のデータ領域のサイズに変更設定されており、発生する未記録領域の大きさが小さめとなっているので、処理時間を短縮させることができる。また、このようなアドレス指定を受けたデータ領域の変更設定により、作成したい再生専用ＤＶＤと完全に同じデータフォーマット（オリジナルディスクの１層目のサイズに従うフォーマット）で記録することも簡単に実現できることが判る。
【００５２】
図５（ｂ）〜（ｂ−２）はＯＴＰ方式による２層ＤＶＤ＋Ｒへの記録例を示す。図５（ｂ）は未記録状態における２層ＤＶＤ＋Ｒのレイアウトを示す。即ち、レイヤー０にはディスク内周からリードイン領域（Ｌｅａｄ−ｉｎ  Ａｒｅａ）、初期データ領域（Ｄａｔａ  Ａｒｅａ（Ｉｎｉｔｉａｌ））、中間領域（Ｍｉｄｄｌｅ  Ａｒｅａ）が存在し、レイヤー１にはディスク外周から中間領域（Ｍｉｄｄｌｅ  Ａｒｅａ）、初期データ領域（Ｄａｔａ  Ａｒｅａ（Ｉｎｉｔｉａｌ））、リードアウト領域（Ｌｅａｄ−ｏｕｔ  Ａｒｅａ）が存在する。
【００５３】
このような未記録状態において、図５（ｂ）中に示すように、ホスト２１から当該光ディスク装置１に対して第１の記録層（レイヤー０）のデータ領域の終了アドレス＝Ｂが指定されたとする（データ領域変更指定手段）。このとき、図５（ｂ−１）に示すように、当該光ディスク装置１はこのようなアドレス指定を受けて、アドレスＡからＢをレイヤー０のデータ領域、アドレスＢに続く所定領域をレイヤー０の中間領域、アドレスＢ′以降（外周方向）の所定領域をレイヤー１の中間領域、アドレスＢ′からＡ′までをレイヤー１のデータ領域に変更設定し、さらに、データ領域に関する情報をリードイン領域のＳＤＣＢ領域に記録する。ここで、ＡとＡ′、ＢとＢ′は各々ビット反転した値であり、同一半径位置に位置している。つまり、基準となるレイヤー０のデータ領域が決定することによりレイヤー１のデータ領域の範囲も決定することになる。また、論理アドレスはレイヤー０のアドレスＡからＢ、レイヤー１のアドレスＢ′からＡ′に割り当てられ、レイヤー０のアドレスＢとレイヤー１のアドレスＢ′とは論理アドレスが連続している。
【００５４】
次に、図５（ｂ−２）に示すように、ホスト２１によりユーザデータの記録要求を受けた場合、レイヤー０のアドレスＡから記録を行い、アドレスＢまで記録が終了した時点で、レイヤー1のアドレスＢ′から続けて記録を行う。即ち、論理アドレスの連続性を保ちつつ、各記録層（レイヤー０，１）に所望するサイズのデータを記録することが可能になる。この場合も図５（ａ）〜（ａ−２）の場合と同様な効果が得られる。
【００５５】
次に、他の実施の形態の原理を図６を参照して説明する。この例は、第１の記録層（レイヤー０）において予め設定されている初期データ領域の範囲内でホスト２１からの所望するデータ領域のサイズ指定に基づき設定するようにした例である。なお、本実施の形態では、データ領域の開始アドレスから指定されたサイズだけデータ領域を変更設定するものとする。
【００５６】
図６（ａ）〜（ａ−２）はＰＴＰ方式による２層ＤＶＤ＋Ｒへの記録例を示す。図６（ａ）に示すように、ホスト２１から、レイヤー０のデータ領域のサイズ＝Ｃが指定されたとする（データ領域変更指定手段）。このとき、図６（ａ−１）に示すように、当該光ディスク装置１はレイヤー０及びレイヤー１のアドレスＡ（Ａはデータ領域の開始アドレス）から（Ａ＋Ｃ）をデータ領域、（Ａ＋Ｃ）以降の所定領域をリードアウト領域に設定し、さらに、このようなデータ領域に関する情報をリードイン領域中のＳＤＣＢ領域に記録する。つまり、レイヤー０のデータ領域の変更が決定することによりレイヤー１のデータ領域の範囲も決定されることになる。また、論理アドレスはレイヤー０のアドレスＡから（Ａ＋Ｃ）、レイヤー１のアドレスＡから（Ａ＋Ｃ）に割り当てられ、レイヤー０のアドレス（Ａ＋Ｃ）とレイヤー１のアドレスＡとは論理アドレスが連続している。
【００５７】
次に、図６（ａ−２）に示すように、ホスト２１からユーザデータの記録要求を受けた場合、レイヤー０のアドレスＡから記録を行い、アドレス（Ａ＋Ｃ）まで記録が終了した時点で、レイヤー１のアドレスＡから続けて記録を行う。即ち、論理アドレスの連続性を保ちつつ、各記録層（レイヤー０，１）に所望するサイズのデータを記録することが可能になる。この場合も図５（ａ）〜（ａ−２）の場合と同様な効果が得られる。
【００５８】
図６（ｂ）〜（ｂ−２）はＯＴＰ方式による２層ＤＶＤ＋Ｒへの記録例を示す。未記録状態において、図６（ｂ）中に示すように、ホスト２１から当該光ディスク装置１に対して第１の記録層（レイヤー０）のデータ領域のサイズ＝Ｃが指定されたとする（データ領域変更指定手段）。このとき、図６（ｂ−１）に示すように、当該光ディスク装置１はアドレスＡ（Ａはデータ領域の開始アドレス）から（Ａ＋Ｃ）をレイヤー０のデータ領域、（Ａ＋Ｃ）以降の所定領域をレイヤー０の中間領域、（Ａ＋Ｃ）′以降の所定領域をレイヤー１の中間領域、（Ａ＋Ｃ）′からＡ′までをレイヤー１のデータ領域に設定し、さらに、このようなデータ領域に関する情報をリードイン領域中のＳＤＣＢ領域に記録する。ここで、ＡとＡ′、ＢとＢ′は各々ビット反転した値であり、同一半径位置に位置している。つまり、基準となるレイヤー０のデータ領域が決定することによりレイヤー１のデータ領域の範囲も決定することになる。また、論理アドレスはレイヤー０のアドレスＡから（Ａ＋Ｃ）、レイヤー１のアドレス（Ａ＋Ｃ）′からＡ′に割り当てられ、レイヤー０のアドレス（Ａ＋Ｃ）とレイヤー１のアドレス（Ａ＋Ｃ）′とは論理アドレスが連続している。
次に、図６（ｂ−２）に示すように、ホスト２１からユーザデータの記録要求を受けた場合、レイヤー０のアドレスＡから記録を行い、アドレス（Ａ＋Ｃ）まで記録が終了した時点で、レイヤー１のアドレス（Ａ＋Ｃ）′から続けて記録を行う。即ち、論理アドレスの連続性を保ちつつ、各記録層（レイヤー０，１）に所望するサイズのデータを記録することが可能になる。この場合も図５（ａ）〜（ａ−２）の場合と同様な効果が得られる。
【００５９】
また、さらに他の実施の形態の原理を図７を参照して説明する。この例は、第１の記録層（レイヤー０）において予め設定されている初期データ領域のうち、データ記録済み領域をデータ領域として変更設定する場合への適用例である。なお、ここでは、ホスト２１から当該第１の記録層（レイヤー０）へのデータ記録の完了通知の指定を受けた時点での記録済み領域をデータ領域として設定するものとする。
【００６０】
図７（ａ）〜（ａ−２）はＰＴＰ方式による２層ＤＶＤ＋Ｒへの記録例を示す。図７（ａ）において、アドレスＡからＤまでデータ記録を行った時点で、ホスト２１から第１の記録層（レイヤー０）への記録完了通知を受けたとする（データ領域変更指定手段）。このとき、図７（ａ−１）に示すように、当該光ディスク装置１はレイヤー０及びレイヤー１のアドレスＡからＤをデータ領域、アドレスＤ以降の所定領域をリードアウト領域に設定し、さらに、これらのデータ領域に関する情報をリードイン領域中のＳＤＣＢ領域に記録する。
【００６１】
つまり、基準となるレイヤー０のデータ領域の変更が決定することによりレイヤー１のデータ領域の範囲も決定されることになる。また、論理アドレスはレイヤー０のアドレスＡからＤ、レイヤー１のアドレスＡからＤに割り当てられ、レイヤー０のアドレスＤとレイヤー１のアドレスＡとは論理アドレスが連続している。
【００６２】
次に、図７（ａ−２）に示すように、ホスト２１から引き続きユーザデータの記録要求を受けた場合、レイヤー１のアドレスＡから続けて記録を行う。即ち、論理アドレスの連続性を保ちつつ、各記録層（レイヤー０，１）に所望するサイズのデータを記録することが可能になる。この場合も図５（ａ）〜（ａ−２）の場合と同様な効果が得られる。
【００６３】
図７（ｂ）〜（ｂ−２）はＯＴＰ方式による２層ＤＶＤ＋Ｒへの記録例を示す。図７（ｂ）において、アドレスＡからＤまでデータ記録を行った時点で、ホスト２１から第１の記録層（レイヤー０）への記録完了通知を受けたとする（データ領域変更指定手段）。このとき、図７（ｂ−１）に示すように、当該光ディスク装置１は、ＡからＤをレイヤー０のデータ領域、Ｄ以降の所定領域をレイヤー０の中間領域、Ｄ′以降（外周方向）の所定領域をレイヤー１の中間領域、Ｄ′からＡ′までをレイヤー１のデータ領域に変更設定し、さらに、これらのデータ領域に関する情報をリードイン領域中のＳＤＣＢ領域に記録する。ここで、ＡとＡ′、ＤとＤ′は各々ビット反転した値であり、同一半径位置に位置している。
【００６４】
つまり、レイヤー０のデータ領域の変更が決定することによりレイヤー１のデータ領域の範囲も決定されることになる。また、論理アドレスはレイヤー０のアドレスＡからＤ、レイヤー１のアドレスＤ′からＡ′に割り当てられ、レイヤー０のアドレスＤとレイヤー１のアドレスＤ′とは論理アドレスが連続している。
【００６５】
次に、図７（ｂ−２）に示すように、ホスト２１から引き続きユーザデータの記録要求を受けた場合、レイヤー１のアドレスＤ′から続けて記録を行う。即ち、論理アドレスの連続性を保ちつつ、各記録層（レイヤー０，１）に所望するサイズのデータを記録することが可能になる。この場合も図５（ａ）〜（ａ−２）の場合と同様な効果が得られる。
【００６６】
ところで、リードイン領域中に含まれてデータ記録に関する管理情報が記録されるＳＤＣＢ（セッションディスクコントロールブロック＝Ｓｅｓｓｉｏｎ  Ｄｉｓｃ  Ｃｏｎｔｒｏｌ  Ｂｌｏｃｋ）について説明する。ＤＶＤ＋Ｒではマルチトラック（ＤＶＤ＋Ｒではフラグメントと呼ぶ)、マルチセッション記録が採用されており、各セッション内のフラグメント情報が当該セッションのリードイン内のＳＤＣＢ領域に記録される。
図８にこのようなＳＤＣＢのフォーマット例を示す。図８に示すように、ＳＤＣＢ内には“Ｃｏｎｔｅｎｔｓ  Ｄｅｓｃｒｉｐｔｏｒ”“Ｕｎｋｎｏｗｎ  Ｃｏｎｔｅｎｔｓ  Ｄｅｓｃｒｉｐｔｏｒ  Ａｃｔｉｏｎｓ”“Ｄｒｉｖｅ  ＩＤ”“Ｓｅｓｓｉｏｎ  Ｎｕｍｂｅｒ（セッション番号）”等の記述を含む他、ＳＤＣＢ特有の情報として各々１６バイト構成の複数（０〜Ｎ）の“Ｓｅｓｓｉｏｎ  Ｉｔｅｍ（セッションアイテム）”が存在する。
【００６７】
このような“Ｓｅｓｓｉｏｎ  Ｉｔｅｍ（セッションアイテム）”には、当該セッション内のフラグメント情報を示すＦｒａｇｍｅｎｔ  Ｉｔｅｍと、当該セッション以前のセッション情報を示すＰｒｅｖｉｏｕｓ  Ｓｅｓｓｉｏｎ  Ｉｔｅｍとの２種類が存在する。
図９に“Ｆｒａｇｍｅｎｔ  Ｉｔｅｍ”のフォーマット例を示す。“Ｆｒａｇｍｅｎｔ  Ｉｔｅｍ”のフォーマット中には、“Ｆｒａｇｍｅｎｔ  ｎｕｍｂｅｒ（フラグメント番号）”“Ｆｒａｇｍｅｎｔ  ｓｔａｒｔ  ａｄｒｅｓｓ（フラグメントの開始アドレス）”“Ｆｒａｇｍｅｎｔ  ｅｎｄ  ａｄｒｅｓｓ（フラグメントの終了アドレス）”等のフラグメント情報が管理情報として記述されるように設定されている。このような“Ｆｒａｇｍｅｎｔ  Ｉｔｅｍ”は当該セッション内に存在するフラグメント毎に“Ｓｅｓｓｉｏｎ  Ｉｔｅｍ”の一つとして用意される。
【００６８】
図１０に“Ｐｒｅｖｉｏｕｓ  Ｓｅｓｓｉｏｎ  Ｉｔｅｍ”のフォーマット例を示す。“Ｐｒｅｖｉｏｕｓ  Ｓｅｓｓｉｏｎ  Ｉｔｅｍ”のフォーマット中には、“Ｐｒｅｖｉｏｕｓ  ｓｅｓｓｉｏｎ  ｎｕｍｂｅｒ（以前のセッション番号）”“Ｐｒｅｖｉｏｕｓ  ｓｅｓｓｉｏｎ  ｓｔａｒｔ  ａｄｒｅｓｓ（以前の当該セッションの開始アドレス）”“Ｐｒｅｖｉｏｕｓ  ｓｅｓｓｉｏｎ  ｅｎｄ  ａｄｒｅｓｓ（以前の当該セッションの終了アドレス）”等のセッション情報が管理情報として記述されるように設定されている。
【００６９】
ここに、図１１に本実施の形態による、データ領域に関する情報の格納例を示す。本実施の形態では、ＳＤＣＢ内のセッションアイテムに新たに図１１に示すような“レイヤーアイテム（Ｌａｙｅｒ  Ｉｔｅｍ）”が追加されている。このうち、レイヤーアイテムディスクリプタ（Ｌａｙｅｒ  ｉｔｅｍ  ｄｅｓｃｒｉｐｔｏｒ）はこの記録情報がレイヤーアイテムを表すことを示すＩＤであり“ＬＹＲ”と記録される。レイヤーナンバ(Ｌａｙｅｒ  ｎｕｍｂｅｒ)はレイヤー番号を示し、レイヤースタートアドレス（Ｌａｙｅｒ  ｓｔａｒｔ  ａｄｄｒｅｓｓ)及びレイヤーエンドアドレス（Ｌａｙｅｒ  ｅｎｄ  ａｄｄｒｅｓｓ）が各レイヤー０，１におけるデータ領域の開始アドレス及び終了アドレスを示すこととなり、上述のように変更設定された場合もこのアドレス情報が記録される。従って、データ領域を設定後に光ディスク２が排出されても、変更設定時点でＳＤＣＢ内のレイヤーアイテム（Ｌａｙｅｒ  Ｉｔｅｍ）に、このようなデータ領域に関する情報が記録されているので、データ記録完了前に光ディスク２を排出しても支障ないものとなる。
【００７０】
ところで、図５又は図６に例示したようなデータ領域の変更設定に関してＣＰＵ１３により実行される処理制御例を図１２に示す概略フローチャートを参照し説明する。この例は、ユーザデータの記録動作に先立ち、ホスト２１からデータ領域の変更指定を受けてそのデータ領域の変更設定を行うものとする。
【００７１】
処理が開始すると（ステップＳ１）、ホスト２１から第１の記録層（レイヤー０）に関してデータ領域の変更指定があるか否かをチェックする（Ｓ２）。データ領域の変更指定があれば（Ｓ２のＹ）、そのデータ領域の範囲に関する情報（例えば、前述したアドレス指定情報やサイズ指定情報）を取得して（Ｓ３）、その指定情報に基づきデータ領域を変更設定し（Ｓ４）、さらに、これらのデータ領域に関する情報を含むＳＤＣＢを更新記録する（Ｓ５）。これらのステップＳ２のＹ，Ｓ３，Ｓ４，Ｓ５の処理がデータ領域変更設定手段、データ領域変更指定ステップ又はデータ領域変更設定機能として実行される。
【００７２】
即ち、ステップＳ３の処理で取得される情報は、図５の場合であれば、データ領域の終了アドレスであり、図６の場合であればデータ領域のサイズである。また、これらデータ領域の範囲に関する情報を取得すると、指定された範囲を第１の記録層（レイヤー０）におけるデータ領域として変更設定するとともに、そのデータ領域に続けてリードアウト領域又は中間領域を設定する。この結果、第２の記録層（レイヤー１）におけるデータ領域の範囲と、リードアウト領域又は中間領域の位置が決定する。
【００７３】
その後、ホスト２１からのユーザデータの記録要求を待ち（Ｓ６）、データ記録要求を受け取ると（Ｓ６のＹ）、要求されたユーザデータをレイヤー０のデータ領域に記録する（Ｓ７）。次に、ステップＳ４で変更設定されたデータ領域の全領域に記録し終わったかどうかを判定し（Ｓ８）、レイヤー０に未記録のデータ領域が残っていた場合は（Ｓ８のＮ）、再びホスト２１からのユーザデータの記録要求を待つ（Ｓ６）。
【００７４】
一方、レイヤー０のデータ領域に未記録領域がなくなった場合（Ｓ８のＹ）、引き続き、レイヤー１のデータ領域へ記録を行う。ここでは、ホスト２１からの記録要求を待ち（Ｓ９）、データ記録要求を受け取ると（Ｓ９のＹ）、要求されたデータをレイヤー１のデータ領域に記録し（Ｓ１０）、再びホスト２１からのデータ記録要求を待つ（Ｓ９）。これらのステップＳ８のＹ，Ｓ９，Ｓ１０の処理が記録処理手段又は記録処理機能として実行される。
【００７５】
一方、データ記録要求がなかった場合は（Ｓ９のＮ）、ホスト２１からの記録要求が完了したかどうかを判定する（Ｓ１１）。データ記録要求が完了していない場合は（Ｓ１１のＮ）、再びデータ記録要求を待つが（Ｓ９）、データ記録要求が完了した場合は（Ｓ１１のＹ）、処理を終了する（Ｓ１２）。
【００７６】
なお、この処理例ではＳＤＣＢを除くリードイン領域、リードアウト領域、及び中間領域の記録タイミング等については特に考慮しておらず、任意のタイミングで記録してよいものとする。
【００７７】
また、図７に例示したようなデータ領域の変更設定に関してＣＰＵ１３により実行される処理制御例を図１３に示す概略フローチャートを参照し説明する。この例は、第１の記録層（レイヤー０）への記録動作中にホスト２１から当該第１の記録層（レイヤー０）へのデータ記録の完了通知の指定を受けた時点で、予め設定されている初期データ領域のうち、記録済み領域をデータ領域として変更設定を行うものとする。
【００７８】
処理を開始すると（Ｓ２１）、ホスト２１からのユーザデータの記録要求を待ち（Ｓ２２）、ユーザデータの記録要求を受け取ると（Ｓ２２のＹ）、要求されたデータをレイヤー０のデータ領域（初期データ領域）に記録する（Ｓ２３）。次に、レイヤー０のデータ領域の全領域に記録し終わったかどうかを判定し（Ｓ２４）、レイヤー０への記録が完了した場合は（Ｓ２４のＹ）、続けてレイヤー１の記録へ移行する。
【００７９】
一方、レイヤー０への記録が完了していない場合は（Ｓ２４のＮ）、ホスト２１から第１の記録層（ここでは、レイヤー０）へのデータ記録の完了通知を受け取ったかどうかを判定し（Ｓ２５）、完了通知を受け取っていた場合は（Ｓ２５のＹ）、レイヤー０のデータ領域を変更設定し（Ｓ２６）、かつ、このデータ領域に関する情報を含むＳＤＣＢを記録する（Ｓ２７）。これらのステップＳ２５のＹ，Ｓ２６，Ｓ２７の処理がデータ領域変更設定手段、データ領域変更指定ステップ又はデータ領域変更設定機能として実行される。
【００８０】
即ち、レイヤー０において完了通知の指定を受けた時点で記録済み領域をデータ領域として変更設定するとともに、そのデータ領域に続けてリードアウト領域又は中間領域を設定する。この結果、第２の記録層（レイヤー１）におけるデータ領域の範囲と、リードアウト領域又は中間領域の位置が決定する。
【００８１】
一方、レイヤー０のデータ記録の完了通知を受け取っていない場合は（Ｓ２５のＮ）、再び、ホスト２１からのデータ記録要求を待つ（Ｓ２２）。
【００８２】
また、ステップＳ２６においてレイヤー０のデータ領域を変更設定した場合は、引き続き、レイヤー１のデータ領域へ記録を行う。ここでは、ユーザからの記録要求を待ち（Ｓ２８）、データ記録要求を受け取ると（Ｓ２８のＹ）、要求されたデータをレイヤー１のデータ領域に記録し（Ｓ２９）、再び、ホスト２１からのデータ記録要求を待つ（Ｓ２８）。これらのステップＳ２８，Ｓ２９の処理が記録処理手段又は記録処理機能として実行される。
【００８３】
一方、データ記録要求がなかった場合は（Ｓ２８のＮ）、ホスト２１からの記録要求が完了したかどうかを判定する（Ｓ３０）。データ記録要求が完了していない場合は（Ｓ３０のＮ）、再び、ホスト２１からのデータ記録要求を待つが（Ｓ２８）、データ記録要求が完了した場合は（Ｓ３０のＹ）、処理を終了する（Ｓ３１）。
【００８４】
なお、この処理例でもＳＤＣＢを除くリードイン領域、リードアウト領域、及び中間領域の記録タイミング等については特に考慮しておらず、任意のタイミングで記録してよいものとする。
【００８５】
なお、上述の説明では、第２の記録層が１層の場合について説明したが、第２の記録層が複数の記録層の場合であっても同様に適用することができる。
【００８６】
また、本実施の形態では、情報記録媒体が２層ＤＶＤ＋Ｒである場合への適用例として説明したが、本発明は、２層ＤＶＤ＋Ｒに限らず、ユーザデータを記録するデータ領域を各々有する複数の記録層を持ち、各記録層におけるデータ領域の位置に関してその範囲を決定する基準となる第１の記録層と、この第１の記録層を除く第２の記録層とを持つ情報記録媒体の場合であれば、同様に適用することができる。また、＋Ｒ形式に限らず、例えば、＋ＲＷ形式、−Ｒ／ＲＷ形式等の情報記録媒体についても適用することができる。
さらに、本実施の形態では、光ディスク装置（情報記録装置）１とホスト（情報処理装置）２２とが完全に分離したシステム構成例で説明したが、情報処理装置が情報記録装置の内部に設けられたレコーダタイプの場合にも同様に適用することができる。
【図面の簡単な説明】
【００８７】
【図１】本発明の一実施の形態の光ディスク装置及び情報処理システムの概略構成を示すブロック図である。
【図２】再生専用ＤＶＤディスクのレイアウト例を示す説明図である。
【図３】ＰＴＰ方式による２層ＤＶＤ＋Ｒに対する未記録領域の対応処理例を模式的に示す説明図である。
【図４】ＯＴＰ方式による２層ＤＶＤ＋Ｒに対する未記録領域の対応処理例を模式的に示す説明図である。
【図５】データ領域の変更設定の一つの実施の形態の原理を示す模式図である。
【図６】データ領域の変更設定の他の実施の形態の原理を示す模式図である。
【図７】データ領域の変更設定のさらに他の実施の形態の原理を示す模式図である。
【図８】ＳＤＣＢのフォーマット例を示す説明図である。
【図９】“Ｆｒａｇｍｅｎｔ  Ｉｔｅｍ”のフォーマット例を示す説明図である。
【図１０】“Ｐｒｅｖｉｏｕｓ  Ｓｅｓｓｉｏｎ  Ｉｔｅｍ”のフォーマット例を示す説明図である。
【図１１】“Ｌａｙｅｒ  Ｉｔｅｍ”のフォーマット例を示す説明図である。
【図１２】データ領域の変更設定の処理制御例を示す概略フローチャートである。
【図１３】データ領域の変更設定の他の処理制御例を示す概略フローチャートである。
【符号の説明】
【００８８】
１    情報記録装置
２    情報記録媒体
２１  情報処理装置
【図１】
2006040531.tif 000003
【図２】
2006040531.tif 000004
【図３】
2006040531.tif 000005
【図４】
2006040531.tif 000006
【図５】
2006040531.tif 000007
【図６】
2006040531.tif 000008
【図７】
2006040531.tif 000009
【図８】
2006040531.tif 000010
【図９】
2006040531.tif 000011
【図１０】
2006040531.tif 000012
【図１１】
2006040531.tif 000013
【図１２】
2006040531.tif 000014
【図１３】
2006040531.tif 000015